(57)【特許請求の範囲】
【請求項１】
楽器を設置するために用いられる楽器用スタンドであって、
上下方向に延びる中央パイプと、
前記中央パイプの下端に装着された下部カラーと、
前記中央パイプに対し摺動可能に装着された第１可動カラーと、
前記中央パイプに対し摺動可能に装着され、前記第１可動カラーよりも下方に配置された第２可動カラーと、
前記中央パイプに対し開閉可能に組み付けられた少なくとも三つの脚部と、
前記各脚部に連結された少なくとも三つのステーとを備え、
前記少なくとも三つの脚部のうち第１脚部は前記第１可動カラーに対し回動可能に連結され、第２脚部は前記第２可動カラーに対し回動可能に連結され、
前記少なくとも三つのステーのうち前記第１脚部に連結された第１ステーは前記第２可動カラーに対し回動可能に連結され、前記第２脚部に連結された第２ステーは前記下部カラーに対し回動可能に連結され、
前記第１可動カラー及び前記第２可動カラーの高さ位置をそれぞれ調整することで、前記第１脚部及び前記第２脚部の各先端の高さ位置が同じになる第１の形態と、前記第１脚部の先端の高さが前記第２脚部の先端の高さ位置と異なる第２の形態とを取り得るように構成されていることを特徴とする楽器用スタンド。
【請求項２】
請求項１記載の楽器用スタンドにおいて、
前記楽器用スタンドは、二つの前記第１脚部を備えていることを特徴とする楽器用スタンド。
【請求項３】
請求項２記載の楽器用スタンドにおいて、
前記二つの前記第１脚部は、互いに隣接して配置されていることを特徴とする楽器用スタンド。
【請求項４】
請求項１〜３のうちいずれか一項に記載の楽器用スタンドは、更に、
前記中央パイプに装着され、前記楽器用スタンドの転倒を防止するための転倒防止手段を備え、
前記楽器用スタンドは、その設置場所付近にある構造物に前記転倒防止手段を干渉させることで転倒しないように保持されることを特徴とする楽器用スタンド。
【請求項５】
請求項４記載の楽器用スタンドにおいて、
前記転倒防止手段は、前記中央パイプに対し前記第２可動カラーと前記下部カラーとの間に装着されると共に、前記第１脚部が載置される構造物に押し当てられて前記楽器用スタンドを転倒しないように保持することを特徴とする楽器用スタンド。
【請求項６】
請求項４又は５記載の楽器用スタンドにおいて、
前記転倒防止手段は、前記中央パイプに対し前記第１可動カラーと前記第２可動カラーとの間に装着されると共に、前記第２脚部の上方に配置される構造物に押し当てられて前記楽器用スタンドを転倒しないように保持することを特徴とする楽器用スタンド。
【請求項７】
請求項４〜６のうちいずれか一項に記載の楽器用スタンドにおいて、
前記転倒防止手段は、前記中央パイプの軸線と直交する方向に沿って延びるロッド有していることを特徴とする楽器用スタンド。
【請求項８】
請求項４〜７のうちいずれか一項に記載の楽器用スタンドにおいて、
前記転倒防止手段は、前記中央パイプに対し着脱可能なクランプを有していることを特徴とする楽器用スタンド。
【請求項９】
請求項１〜８のうちいずれか一項に記載の楽器用スタンドにおいて、
前記中央パイプの上端には、前記楽器を前記楽器用スタンドに固定するための固定手段が設けられていることを特徴とする楽器用スタンド。
【請求項１０】
請求項１〜９のうちいずれか一項に記載の楽器用スタンドにおいて、
前記楽器用スタンドは、マーチングドラムを設置するために用いられるマーチングドラムスタンドであることを特徴とする楽器用スタンド。
【発明の詳細な説明】
【技術分野】
【０００１】
本発明は、マーチングドラム等の楽器を設置するのに用いられる楽器用スタンドに関する。
【背景技術】
【０００２】
スタジアムの観客席には、フィールドからスタジアムの外側に向かって、シートが列をなして階段状に設置されている。スタジアムでは、観客席のシートにマーチングドラムスタンド（以下、ドラムスタンドと称す）を設置し、マーチングドラムを演奏しながら応援することがある。こうした背景から、平地のみならず、階段等の段差に跨って設置できるように構成されたドラムスタンドが幾つか提案されている。
【０００３】
例えば、特許文献１に開示されるドラムスタンド１３０によれば、図１０に示すように、半円環状をなす一対の上部カラー１３１ａ，１３１ｂが、中央パイプ１３３の前側周面１３３ａと後側周面１３３ｂとに対しそれぞれ摺動可能に装着されている。また、半円環状をなす一対の下部カラー１３２ａ，１３２ｂが、中央パイプ１３３の前側周面１３３ａと後側周面１３３ｂとに対しそれぞれ摺動可能に装着されている。中央パイプ１３３の後側周面１３３ｂを摺動する上部カラー１３１ｂ及び下部カラー１３２ｂには、特定の脚部１３４とその脚部１３４に連結されたステー１３５とがそれぞれ連結されている。また、中央パイプ１３３の前側周面１３３ａを摺動する上部カラー１３１ａ及び下部カラー１３２ａには、残りの２本の脚部１３６とその脚部１３６に連結されたステー１３７とがそれぞれ連結されている。
【０００４】
図１１に示すドラムスタンド１４０によれば、中央パイプ１４１の中央と下端とには、固定カラー１４２ａ，１４２ｂがそれぞれ装着されている。また、中央パイプ１４１において両固定カラー１４２ａ，１４２ｂ間には、可動カラー１４３ａ，１４３ｂが摺動可能にそれぞれ装着されている。両固定カラー１４２ａ，１４２ｂには、相対的に長い二本の脚部１４４とそれら脚部１４４に連結されたステー１４５とがそれぞれ連結されている。各ステー１４５は、リング１４５ａを介して、脚部１４４に対しスライド可能に連結されている。一方、両可動カラー１４３ａ，１４３ｂには、相対的に短い脚部１４６とその脚部１４６に連結されたステー１４７とがそれぞれ連結されている。ステー１４７は、連結ピン１４７ａを介して、脚部１４６の中央に対し回動可能に連結されている。図１０及び図１１に示すドラムスタンド１３０，１４０はいずれも、三脚構造を構成する三本の脚部のうち特定の脚部の高さ位置を他の脚部から独立して調整できるように構成されている。
【０００５】
また、特許文献２に開示されるドラムスタンド１５０によれば、図１２に示すように、三本の脚部１５１のうち特定の脚部１５１ａに対して延長板１５２が摺動可能に支持されている。ドラムスタンド１５０は、平地では、三本の脚部１５１を同じ長さにして使用される。一方、スタジアムの観客席では、脚部１５１ａをフィールド側（図１２に示す右側）に向け、延長板１５２の先端１５２ａを観客席の座面ＳＥに届くまで延ばした状態で使用される。即ち、この文献に開示のドラムスタンド１５０は、三脚構造を構成する三本の脚部１５１のうち特定の脚部１５１ａの長さを他の脚部から独立して調整できるように構成されている。
【先行技術文献】
【特許文献】
【０００６】
【特許文献１】米国特許第５０７２９１０号明細書
【特許文献２】米国特許第７７０３７２５号明細書
【発明の概要】
【０００７】
しかしながら、図１０及び図１１に開示のドラムスタンド１３０，１４０の場合、中央パイプ１３３，１４１に対し脚部１３４，１３６，１４４，１４６を開閉したり、設置場所に応じて各脚部１３４，１４６の高さ位置を調節したりする際に操作される操作部Ｎの数が多くなっている。このため、ドラムスタンド１３０，１４０の開閉や設置のための操作が面倒であることに加え、部品点数が増えて製造コストが高くなるという問題があった。
【０００８】
図１２に示すドラムスタンド１５０の場合、三本の脚部１５１のうち特定の脚部１５１ａの長さしか調整できないため、段差に跨ってドラムスタンド１５０を上手く設置することが難しかった。また、図１２に示すドラムスタンド１５０においても、脚部１５１ａに対し延長板１５２を摺動可能に支持するための脚構造が複雑化したり部品点数が増えたりする等の理由により、製造コストが高くなるという問題があった。
【発明が解決しようとする課題】
【０００９】
本発明の目的は、操作が簡単であることに加え、設置場所に応じて各脚部の高さ位置を容易に調節することのできる楽器用スタンドを提供することにある。
【課題を解決するための手段】
【００１０】
上記の目的を達成するために、請求項１に記載の発明は、楽器を設置するために用いられる楽器用スタンドであって、上下方向に延びる中央パイプと、中央パイプの下端に装着された下部カラーと、中央パイプに対し摺動可能に装着された第１可動カラーと、中央パイプに対し摺動可能に装着され、第１可動カラーよりも下方に配置された第２可動カラーと、中央パイプに対し開閉可能に組み付けられた少なくとも三つの脚部と、各脚部に連結された少なくとも三つのステーとを備え、少なくとも三つの脚部のうち第１脚部は第１可動カラーに対し回動可能に連結され、第２脚部は第２可動カラーに対し回動可能に連結され、少なくとも三つのステーのうち第１脚部に連結された第１ステーは第２可動カラーに対し回動可能に連結され、第２脚部に連結された第２ステーは下部カラーに対し回動可能に連結され、第１可動カラー及び第２可動カラーの高さ位置をそれぞれ調整することで、第１脚部及び第２脚部の各先端の高さ位置が同じになる第１の形態と、第１脚部の先端の高さが第２脚部の先端の高さ位置と異なる第２の形態とを取り得るように構成されていることを要旨とする。
【００１１】
この構成によれば、下部カラーに対する第２可動カラーの位置を変更することで、中央パイプに対し第２脚部を開閉したり、第２脚部の高さ位置を調節したりすることができる。また、第２可動カラーに対する第１可動カラーの位置を変更することで、中央パイプに対し第１脚部を開閉したり、第１脚部の高さ位置を調節したりすることができる。このように、中央パイプに装着された第１及び第２可動カラーを操作しそれらの高さ位置を調節するだけで、中央パイプに対し第１及び第２脚部を開閉したり、第１及び第２脚部の高さ位置をそれぞれ調節したりすることができる。よって、操作が簡単であることに加え、楽器用スタンドの設置場所に応じて各脚部の高さ位置を容易に調節することができる。
【００１２】
請求項２に記載の発明は、請求項１記載の発明において、楽器用スタンドは、二つの第１脚部を備えていることを要旨とする。
この構成によれば、二つの可動カラーのうち高い方に配置される第１可動カラーには、二つの第１脚部が連結されている。このため、第１及び第２可動カラーを操作することで、二つの第１脚部を第２脚部よりも高い位置に配置することができる。よって、楽器用スタンドを段差に跨って設置する場合、段差を形成する高い方の面に二つの第１脚部を載置することができ、楽器用スタンドを第１脚部側で安定的に支持することができる。
【００１３】
請求項３に記載の発明は、請求項２記載の発明において、二つの第１脚部は、互いに隣接して配置されていることを要旨とする。
この構成によれば、二つの第１脚部を備える脚構造として、具体的には、互いに隣接した配置された二つの第１脚部を備える三脚構造や、四脚構造を採用することができる。
【００１４】
請求項４に記載の発明は、請求項１〜３のうちいずれか一項に記載の発明において、中央パイプに装着され、楽器用スタンドの転倒を防止するための転倒防止手段を備え、楽器用スタンドは、その設置場所付近にある構造物に転倒防止手段を干渉させることで転倒しないように保持されることを要旨とする。
【００１５】
この構成によれば、段差に跨って設置する場合であっても、楽器用スタンドの設置場所付近にある構造物に転倒防止手段を干渉させることで、楽器用スタンドが転倒しないように保持される。また、転倒防止手段が中央パイプに装着されているため、楽器スタンドをその重心付近で保持することもできる。よって、楽器用スタンドをより安定的に設置することができる。
【００１６】
請求項５に記載の発明は、請求項４記載の発明において、転倒防止手段は、中央パイプに対し第２可動カラーと下部カラーとの間に装着されると共に、第１脚部が載置される構造物に押し当てられて楽器用スタンドを転倒しないように保持することを要旨とする。
【００１７】
この構成によれば、転倒防止手段が、第１脚部が載置される構造物に対し下方から押し当てられる。これにより、転倒防止手段と第１脚部との間に構造物が挟持される。こうして、楽器用スタンドの第１脚部側で構造物に対し転倒防止手段を干渉させることにより、楽器用スタンドの第１脚部側への転倒を防止することができる。
【００１８】
請求項６に記載の発明は、請求項４又は５記載の発明において、転倒防止手段は、中央パイプに対し第１可動カラーと第２可動カラーとの間に装着されると共に、第２脚部の上方に配置される構造物に押し当てられて楽器用スタンドを転倒しないように保持することを要旨とする。
【００１９】
この構成によれば、転倒防止手段が、第２脚部の上方に配置される構造物に対し下方から押し当てられる。こうして、楽器用スタンドの第２脚部側で構造物に対し転倒防止手段を干渉させることにより、楽器用スタンドの第１脚部側への転倒を防止することができる。
【００２０】
請求項７に記載の発明は、請求項４〜６のうちいずれか一項に記載の発明において、転倒防止手段は、中央パイプの軸線と直交する方向に沿って延びるロッドを有していることを要旨とする。
【００２１】
この構成によれば、第１脚部が載置される構造物や第２脚部の上方に配置される構造物に対しロッドを押し当てた状態で、構造物に対しロッドをその軸線方向に沿って滑らせることができる。よって、楽器用スタンドを転倒しないように保持しながら、構造物に対する楽器用スタンドの位置決めを行うことができる。
【００２２】
請求項８に記載の発明は、請求項４〜７のうちいずれか一項に記載の発明において、転倒防止手段は、中央パイプに対し着脱可能なクランプを有していることを要旨とする。
この構成によれば、楽器用スタンドの設置場所に応じて、中央パイプに転倒防止手段を装着したり、中央パイプから転倒防止手段を取り外したりすることができる。つまり、脚部の開閉に際し邪魔にならないように、中央パイプから転倒防止手段を予め取り外しおくことができる。また、中央パイプに対する転倒防止手段の取付位置、即ち、転倒防止手段の高さ位置を容易に調整することもできる。
【００２３】
請求項９に記載の発明は、請求項１〜８のうちいずれか一項に記載の発明において、中央パイプの上端には、楽器を楽器用スタンドに固定するための固定手段が設けられていることを要旨とする。
【００２４】
この構成によれば、固定手段によって、楽器用スタンドから楽器が外れて落下することを防止できる。
請求項１０に記載の発明は、請求項１〜９のうちいずれか一項に記載の発明において、楽器用スタンドは、マーチングドラムを設置するために用いられるマーチングドラムスタンドであることを要旨とする。
【００２５】
この構成によれば、操作が簡単であることに加え、設置場所に応じて各脚部の高さ位置を容易に調節することのできるマーチングドラムスタンドを提供することができる。また、叩打して演奏されるマーチングドラムを、平地のみならず、段差に跨って安定的に設置することのできるマーチングドラムスタンドを提供することができる。
【発明の効果】
【００２６】
本発明によれば、操作が簡単であることに加え、設置場所に応じて各脚部の高さ位置を容易に調節することのできる楽器用スタンドを提供することができる。
【図面の簡単な説明】
【００２７】
【図１】本発明の一実施形態に係るドラムスタンドの全体を示す斜視図。
【図２】ドラムスタンドの分解斜視図。
【図３】転倒防止手段を装着したドラムスタンドの下部構造を示す部分側面図。
【図４】転倒防止手段の全体を示す斜視図。
【図５】平地に設置したドラムスタンドを示す側面図。
【図６】段差に跨って設置したドラムスタンドを示す側面図。
【図７】（ａ）は、本発明に係るドラムスタンドの三脚構造を採用したテナードラム用スタンドの斜視図、（ｂ）は、本発明に係るドラムスタンドの三脚構造を採用したバスドラム用スタンドの斜視図。
【図８】別例のドラムスタンドの三脚構造を示す模式上面図。
【図９】（ａ），（ｂ）は、別例のドラムスタンドの四脚構造を示す模式上面図。
【図１０】従来のドラムスタンドの下部構造を示す側面図。
【図１１】従来のドラムスタンドの下部構造を示す斜視図。
【図１２】従来のドラムスタンドを示す側面図。
【発明を実施するための形態】
【００２８】
以下、本発明に係る楽器用スタンドを、マーチングドラムとしてのスネアドラムを設置するために用いられるドラムスタンドに具体化した一実施形態について、図１〜図６を参照して説明する。
【００２９】
図１及び図２に示すように、ドラムスタンド１０は、上下方向に延びる中央パイプ１２、脚部１４ａ，１４ｂ，１４ｃ、ステー１５ａ，１５ｂ，１５ｃ、及びアーム１８を備えている。中央パイプ１２は、上段パイプ２０及び下段パイプ２１により構成されている。上段パイプ２０は、下段パイプ２１に対し摺動可能に組み付けられている。
【００３０】
両パイプ２０，２１の連結部分には、二種類のブッシュ２２，２３と共に支持カラー２４が装着されている。支持カラー２４の側部には、Ｔ型ナット２５、及びＴ型ナット２５に螺合されるボルト２６が取り付けられている。Ｔ型ナット２５を緩めることで、下段パイプ２１に対して上段パイプ２０が摺動可能となり、ドラムスタンド１０全体の高さが調節可能となる。一方、Ｔ型ナット２５を締め付けることで、下段パイプ２１に対する上段パイプ２０の摺動が規制されるため、ドラムスタンド１０全体の高さが固定される。
【００３１】
第１脚部１４ａ，１４ｂは、基端部３０ａと中間部３０ｂと先端部３０ｃとを所定の形状に屈曲してなる一対の脚板３０により構成されている。一対の脚板３０は、対向する向きに配置されると共に一体に組み付けられている。両脚板３０間には、基端部３０ａから中間部３０ｂにかけて延びる隙間が、下段パイプ２１に対し閉じられた第１ステー１５ａ，１５ｂを収納するためのスペース３０ｄとして形成されている。第１脚部１４ａ，１４ｂの先端には、ゴム製のストッパ３１がそれぞれ装着されている。第１ステー１５ａ，１５ｂは、連結軸３２を介して、第１脚部１４ａ，１４ｂに対し回動可能にそれぞれ連結されている。
【００３２】
第２脚部１４ｃは、基端部４０ａと中間部４０ｂと先端部４０ｃとを所定の形状に屈曲してなる一対の脚板４０により構成されている。一対の脚板４０は、対向する向きに配置されると共に一体に組み付けられている。両脚板４０間には、基端部４０ａから中間部４０ｂにかけて延びる隙間が、下段パイプ２１に対し閉じられた第２ステー１５ｃを収納するためのスペース４０ｄとして形成されている。第２脚部１４ｃの先端にも、ストッパ３１が装着されている。第２ステー１５ｃは、連結軸４２を介して、第２脚部１４ｃに対し回動可能に連結されている。尚、第１脚部１４ａ，１４ｂに対する第１ステー１５ａ，１５ｂの連結位置は、第２脚部１４ｃに対する第２ステー１５ｃの連結位置よりも脚部の先端に近い位置に設けられている。
【００３３】
脚部１４ａ，１４ｂ，１４ｃ及びステー１５ａ，１５ｂ，１５ｃは、下部カラーとしての固定カラー５０及び一対の可動カラー６０，７０を介して、下段パイプ２１に対し開閉可能にそれぞれ組み付けられている。固定カラー５０は、下段パイプ２１の下端に下方から嵌め込まれて固定されている。固定カラー５０は、一つのステー連結突起５１を有している。ステー連結突起５１は、固定カラー５０の周面に設けられている。ステー連結突起５１は、固定カラー５０の軸線を中心に径方向に突出している。固定カラー５０は、可動カラー６０，７０よりも上下方向に長い円筒状に形成されている。
【００３４】
一対の可動カラー６０，７０は、固定カラー５０よりも上方に配置されると共に、下段パイプ２１に対しその軸線に沿って摺動可能に装着されている。一対の可動カラー６０，７０のうち第２可動カラー７０は、第１可動カラー６０よりも下方に配置されている。第２可動カラー７０は、下段パイプ２１に対し、固定カラー５０と第１可動カラー６０との間を摺動可能であり、具体的には、固定カラー５０の上端から第１可動カラー６０の下端に至るまでの全体に亘って摺動可能となっている。
【００３５】
第１可動カラー６０は、二つの脚部連結突起６１，６２を有している。各脚部連結突起６１，６２は、第１可動カラー６０の周面において間隔を空けて配置されている。各脚部連結突起６１，６２は、第１可動カラー６０の軸線を中心に径方向にそれぞれ突出している。第１可動カラー６０において、両脚部連結突起６１，６２と反対側の端部には、ボルト６３と、ボルト６３の先端に螺合されるＴ型ナット６４とが取り付けられている。Ｔ型ナット６４は、下段パイプ２１に対する第１可動カラー６０の取付位置、即ち、第１可動カラー６０の高さ位置を調整又は固定する際に操作される。
【００３６】
第２可動カラー７０は、一つの脚部連結突起７１と、二つのステー連結突起７２，７３とを有している。脚部連結突起７１及びステー連結突起７２，７３は、第２可動カラー７０の周面において等角度間隔を空けて配置されている。脚部連結突起７１及びステー連結突起７２，７３は、第２可動カラー７０の軸線を中心に径方向にそれぞれ突出している。第２可動カラー７０において、両ステー連結突起７２，７３の間には、Ｔ型ボルト７４が螺合されている。Ｔ型ボルト７４は、下段パイプ２１に対する第２可動カラー７０の取付位置、即ち、第２可動カラー７０の高さ位置を調整又は固定する際に操作される。
【００３７】
第１可動カラー６０、第２可動カラー７０及び固定カラー５０には、脚部１４ａ，１４ｂ，１４ｃ及びステー１５ａ，１５ｂ，１５ｃがそれぞれ以下のように連結されている。即ち、第１可動カラー６０の脚部連結突起６１，６２には、第１脚部１４ａ，１４ｂの各基端がそれぞれ回動可能に連結されている。二つの第１脚部１４ａ，１４ｂは、互いに隣接して配置されている。第２可動カラー７０のステー連結突起７２，７３には、第１ステー１５ａ，１５ｂの各基端がそれぞれ回動可能に連結されている。また、第２可動カラー７０の脚部連結突起７１には、第２脚部１４ｃの基端が回動可能に連結されている。固定カラー５０のステー連結突起５１には、第２ステー１５ｃの基端が回動可能に連結されている。このように、ドラムスタンド１０は、二本の第１脚部１４ａ，１４ｂと一本の第２脚部１４ｃとからなる三脚構造を備えている。
【００３８】
上段パイプ２０の上端には、Ｌ字構造をなすアーム１８が連結されている。アーム１８は、中央パイプ１２の上端から横方向に延びる支持バー８１と、支持バー８１の先端に角度アジャスタ８２を介して連結されたストッパ８３とを備えている。ストッパ８３の上端には、支持部品８４を介して、一対のフック８５ａ，８５ｂを備えた連結装置８６が設けられている。両フック８５ａ，８５ｂには、それらを架橋するように長方形状の架橋部材８７が固定されている。図５及び図６に示すように、両フック８５ａ，８５ｂにスネアドラムＳの連結軸ＳＳが嵌め込まれることで、スネアドラムＳが連結装置８６を介してドラムスタンド１０に連結される。
【００３９】
図１に示すように、両フック８５ａ，８５ｂのそれぞれには、固定手段としてのロックレバー８８ａ，８８ｂが回動可能に支持されている。ロックレバー８８ａ，８８ｂが二点鎖線で示すロック位置に切り換えられると、スネアドラムＳの連結軸ＳＳがフック８５ａ，８５ｂから外れないように保持される。一方、ロックレバー８８ａ，８８ｂが実線で示すアンロック位置に切り換えられると、フック８５ａ，８５内の連結軸ＳＳがアンロックされて、ドラムスタンド１０からスネアドラムＳを取り外すことが可能となる。
【００４０】
図３に示すように、ドラムスタンド１０は、転倒防止手段９０を下段パイプ２１に装着して使用することもできる。転倒防止手段９０は、段差に跨って設置されたドラムスタンド１０を第１脚部１４ａ，１４ｂ側、第１脚部１４ａ及び第２脚部１４ｃ側、第１脚部１４ｂ及び第２脚部１４ｃ側のいずれにも転倒しないように保持するためのものである。転倒防止手段９０は、下段パイプ２１に対し、第１可動カラー６０と第２可動カラー７０との間、及び第２可動カラー７０と固定カラー５０との間の少なくとも一方に装着される。転倒防止手段９０は、下段パイプ２１に着脱可能なクランプ９１と、Ｌ字状のロッド９２とを備えている。
【００４１】
図４に示すように、クランプ９１は、クランプ本体９３と、クランプ本体９３と共に下段パイプ２１を挟持するクランプ片９４と、クランプ本体９３の端部に対し回動可能に取着された角度アジャスタ９５とを備えている。クランプ片９４は、一対のボルト９６ａ，９６ｂにより、クランプ本体９３に対し離間可能に連結されている。両ボルト９６ａ，９６ｂのネジ部には、スプリング９７ａ，９７ｂが、クランプ本体９３及びクランプ片９４により圧縮された状態でそれぞれ装着されている。Ｔ型ナット９８ａが螺着されたボルト９６ａは、ピンを介して、クランプ本体９３の端部に対し回動可能に連結されている。円盤ナット９８ｂが螺着されたボルト９６ｂは、クランプ本体９３の孔からクランプ片９４の孔に向けて挿通されている。
【００４２】
ボルト９６ａに螺合されたＴ型ナット９８ａを緩めると、クランプ本体９３に対しボルト９６ａが図４に示すＡ方向に回動可能となる。このとき、クランプ片９４の基端を図４に示すＰ方向に押して、クランプ片９４の先端をクランプ本体９３から離間させると、下段パイプ２１を締め付けていたクランプ９１が開放される。このため、下段パイプ２１から転倒防止手段９０を取り外すことが可能となる。一方、ボルト９６ａを図４に示す位置に戻してから、ボルト９６ａに螺合されたＴ型ナット９８ａを締め付けると、下段パイプ２１がクランプ９１により締め付けられるため、転倒防止手段９０が下段パイプ２１に固定される。
【００４３】
ロッド９２は、角度アジャスタ９５に固定される固定部９２ａと、固定部９２ａから直角に曲げられて固定部９２ａよりも長い当接部９２ｂとを有している。当接部９２ｂは、ドラムスタンド１０の設置場所付近にある構造物Ｋ１，Ｋ２と干渉する部分である。当接部９２ｂの周囲には、当接部９２ｂの基端から先端までの全体に亘りカバー９９が装着されている。カバー９９は、ゴムやスポンジ等のクッション性を有する素材により形成されている。ロッド９２は、固定部９２ａを下段パイプ２１の軸線方向に、当接部９２ｂを下段パイプ２１の軸線と直交する方向にそれぞれ向けて、角度アジャスタ９５の装着孔９５ａに装着されている。
【００４４】
次に、上記のドラムスタンド１０の作用について図５及び図６を参照して説明する。ここでは、ドラムスタンド１０を段差に跨って設置する場合の説明として、スタジアムの観客席にドラムスタンド１０を設置する場合を想定し、以下に記載する。尚、観客席には、シートが列をなして階段状に設置されており、前列シートＦＳと後列シートＲＳとの間には、前列シートＦＳよりも低い位置に通路Ｉが形成されている。
【００４５】
ドラムスタンド１０を平地に設置する場合、まず、第１可動カラー６０及び第２可動カラー７０を操作して、図５の二点鎖線で示すように閉じられた脚部１４ａ，１４ｂ，１４ｃ及びステー１５ａ，１５ｂ，１５ｃを同図の実線で示すように開く。そして、一本の第２脚部１４ｃを演奏者Ｐに対し前方に、二本の第１脚部１４ａ，１４ｂを後方にそれぞれ向けて、ドラムスタンド１０を設置する。次に、第１脚部１４ａ，１４ｂ及び第２脚部１４ｃの各先端の高さ位置が同じになるように、第１可動カラー６０及び第２可動カラー７０の高さ位置をそれぞれ調節する。その後、Ｔ型ナット６４及びＴ型ボルト７４をそれぞれ締め付けて、第１可動カラー６０及び第２可動カラー７０の高さ位置をそれぞれ固定する。上記一連の操作により、第２可動カラー７０が固定カラー５０付近に配置されるため、第２脚部１４ｃは、下段パイプ２１に対し大きく開くと共に前方に大きく突き出された状態で保持される。一方、第１脚部１４ａ，１４ｂは、下段パイプ２１に対する第２脚部１４ｃの開き角度よりも小さい角度で開くと共に後方に少し突き出された状態で保持される。続いて、スネアドラムＳの打面ＳＤを演奏し易い位置に配置するため、Ｔ型ナット２５を操作して、ドラムスタンド１０全体の高さを調節する。尚、ドラムスタンド１０を平地に設置する場合、転倒防止手段９０は使用しないため、下段パイプ２１から取り外されている。
【００４６】
ドラムスタンド１０を段差に跨って設置する場合、まず、上述したように、脚部１４ａ，１４ｂ，１４ｃ、及びステー１５ａ，１５ｂ，１５を開く。そして、図６に示すように、二本の第１脚部１４ａ，１４ｂを演奏者Ｐに対し前方に、一本の第２脚部１４ｃを後方にそれぞれ向けて、前列シートＦＳと後列シートＲＳとの間にドラムスタンド１０を設置する。次に、第１脚部１４ａ，１４ｂの先端の高さ位置が前列シートＦＳと同じ高さになるように、また、第２脚部１４ｃの先端の高さ位置が通路Ｉと同じ高さになるように、第１可動カラー６０及び第２可動カラー７０の高さ位置をそれぞれ調節する。その後、Ｔ型ナット６４及びＴ型ボルト７４をそれぞれ締め付けて、第１可動カラー６０及び第２可動カラー７０の高さ位置をそれぞれ固定する。上記一連の操作により、下段パイプ２１の上端付近に第１可動カラー６０が配置されると共に、第２可動カラー７０が、第１可動カラー６０と固定カラー５０との間の中間位置に配置される。これにより、二本の第１脚部１４ａ，１４ｂは、第２可動カラー７０に対する第１可動カラー６０の位置に基づく角度で下段パイプ２１に対し開いた状態に保持される。一方、一本の第２脚部１４ｃは、固定カラー５０に対する第２可動カラー７０の位置に基づく角度で下段パイプ２１に対し開いた状態に保持される。
【００４７】
続いて、下段パイプ２１に対し、第２可動カラー７０と固定カラー５０との間に転倒防止手段９０を装着する。このとき、下段パイプ２１に対する転倒防止手段９０の取付位置、即ち、転倒防止手段９０の高さ位置を、ロッド９２の当接部９２ｂが前列シートＦＳの下面に押し当てられる位置に調節する。また、このとき、下段パイプ２１の軸線周りに転倒防止手段９０を手で回すことにより、下段パイプ２１の軸線周りの転倒防止手段９０の角度位置も調節する。更に、角度アジャスタ９５を回動させることにより、ロッド９２の当接部９２ｂの向きを、前列シートＦＳの下面と平行になるように調節する。これら一連の操作により、ロッド９２の当接部９２ｂと第１脚部１４ａ，１４ｂとの間に前列シートＦＳが挟持される。
【００４８】
この場合、ドラムスタンド１０の第１脚部１４ａ，１４ｂ側で構造物としての前列シートＦＳに対しロッド９２が干渉するため、ドラムスタンド１０の第１脚部１４ａ，１４ｂ側、即ち、スタジアムのフィールド側（図６に示す左側）への転倒が防止される。また、図６の紙面と略直交する方向、即ち、第１脚部１４ａ及び第２脚部１４ｃ側、第１脚部１４ｂ及び第２脚部１４ｃ側へのドラムスタンド１０の転倒も防止される。
【００４９】
また、この場合、二本の第１脚部１４ａ，１４ｂが前列シートＦＳ上に載置されているため、二本の第１脚部１４ａ，１４ｂによって、ドラムスタンド１０が第１脚部１４ａ，１４ｂ側で安定的に支持されている。更に、スネアドラムＳはその軸線を中央パイプ１２の軸線と一致させて保持されているため、ドラムスタンド１０の起立時の姿勢も安定している。更に、転倒防止手段９０が下段パイプ２１に装着されており、ドラムスタンド１０がその重心付近で保持されているため、ドラムスタンド１０をより安定的に設置することができる。  上記の場合とは異なり、ドラムスタンド１０の設置場所やシートＦＳ，ＲＳの形状によっては、下段パイプ２１に対し、第１可動カラー６０と第２可動カラー７０との間にのみ転倒防止手段９０を装着することもある。この場合も、第２可動カラー７０と固定カラー５０との間に転倒防止手段９０を装着した場合と同様の操作を行うことによって、ロッド９２の当接部９２ｂが後列シートＲＳに下方から押し当てられるように、下段パイプ２１に対する転倒防止手段９０の取付位置を調節する。これにより、ドラムスタンド１０の第２脚部１４ｃ側で後列シートＲＳに対しロッド９２を干渉させることができる。このため、ドラムスタンド１０の第１脚部１４ａ，１４ｂ側への転倒に加え、第１脚部１４ａ及び第２脚部１４ｃ側並びに第１脚部１４ｂ及び第２脚部１４ｃ側へのドラムスタンド１０の転倒も防止される。
【００５０】
本実施形態によれば、以下のような効果を得ることができる。
（１）第１可動カラー６０には、第１脚部１４ａ，１４ｂがそれぞれ回動可能に連結されている。第２可動カラー７０には、第１ステー１５ａ，１５ｂがそれぞれ回動可能に連結されると共に、第２脚部１４ｃが回動可能に連結されている。また、固定カラー５０には、第２ステー１５ｃの基端が回動可能に連結されている。この構成によれば、固定カラー５０に対する第２可動カラー７０の位置を変更することで、中央パイプ１２に対し第２脚部１４ｃを開閉したり、第２脚部１４ｃの高さ位置を調節したりすることができる。また、第２可動カラー７０に対する第１可動カラー６０の位置を変更することで、中央パイプ１２に対し第１脚部１４ａ，１４ｂを開閉したり、第１脚部１４ａ，１４ｂの高さ位置を調節したりすることができる。このように、中央パイプ１２に装着された第１可動カラー６０及び第２可動カラー７０を操作しそれらの高さ位置を調節するだけで、中央パイプ１２に対し第１脚部１４ａ，１４ｂ及び第２脚部１４ｃを開閉したり、第１脚部１４ａ，１４ｂ及び第２脚部１４ｃの高さ位置をそれぞれ調節したりすることができる。よって、操作が簡単であることに加え、ドラムスタンド１０の設置場所に応じて各脚部１４ａ，１４ｂ，１４ｃの高さ位置を容易に調節することができる。
【００５１】
（２）ドラムスタンド１０は、互いに隣接して配置される二本の第１脚部１４ａ，１４ｂと、一本の第２脚部１４ｃとからなる三脚構造を備えている。この構成によれば、二つの可動カラー６０，７０のうち高い方に配置される第１可動カラー６０には、二本の第１脚部１４ａ，１４ｂが連結されている。このため、第１可動カラー６０及び第２可動カラー７０を操作することで、二本の第１脚部１４ａ，１４ｂを第２脚部１４ｃよりも高い位置に配置することができる。よって、ドラムスタンド１０を段差に跨って設置する場合、段差を形成する高い方の面に二本の第１脚部１４ａ，１４ｂを載置することができ、ドラムスタンド１０を第１脚部１４ａ，１４ｂ側で安定的に支持することができる。
【００５２】
（３）ドラムスタンド１０は、転倒防止手段９０を下段パイプ２１に装着して使用することもできる。この構成によれば、段差に跨って設置する場合であっても、ドラムスタンド１０の設置場所付近にある構造物Ｋ１，Ｋ２に転倒防止手段９０のロッド９２を干渉させることで、ドラムスタンド１０が転倒しないように保持される。また、転倒防止手段９０が下段パイプ２１に装着されているため、ドラムスタンド１０をその重心付近で保持することもできる。よって、転倒防止手段９０を使用することで、ドラムスタンド１０をより安定的に設置することができる。
【００５３】
（４）転倒防止手段９０を下段パイプ２１に対し第２可動カラー７０と固定カラー５０との間に装着した場合、図３の左側に示すように、ロッド９２の当接部９２ｂが、第１脚部１４ａ，１４ｂが載置される構造物Ｋ１に対し下方から押し当てられる。これにより、ロッド９２の当接部９２ｂと第１脚部１４ａ，１４ｂとの間に構造物Ｋ１が挟持される。この場合、ドラムスタンド１０の第１脚部１４ａ，１４ｂ側で構造物Ｋ１に対し転倒防止手段９０のロッド９２を干渉させることにより、ドラムスタンド１０の第１脚部１４ａ，１４ｂ側への転倒を防止することができる。
【００５４】
（５）転倒防止手段９０を下段パイプ２１に対し第１可動カラー６０と第２可動カラー７０との間に装着した場合、図３の右側に示すように、ロッド９２の当接部９２ｂが、第２脚部１４ｃの上方に配置される構造物Ｋ２に対し下方から押し当てられる。この場合、ドラムスタンド１０の第２脚部１４ｃ側で構造物Ｋ２に対し転倒防止手段９０のロッド９２を干渉させることにより、ドラムスタンド１０の第１脚部１４ａ，１４ｂ側への転倒を防止することができる。
【００５５】
（６）転倒防止手段９０は、下段パイプ２１に着脱可能なクランプ９１を有している。この構成によれば、ドラムスタンド１０の設置場所に応じて、下段パイプ２１に転倒防止手段９０を装着したり、下段パイプ２１から転倒防止手段９０を取り外したりすることができる。つまり、第１脚部１４ａ，１４ｂ及び第２脚部１４ｃの開閉に際し邪魔にならないように、下段パイプ２１から転倒防止手段９０を予め取り外しおくことができる。また、クランプ９１は下段パイプ２１に対し着脱可能であるため、下段パイプ２１に対する転倒防止手段９０の取付位置、即ち、転倒防止手段９０の高さ位置や、下段パイプ２１の軸線周りの転倒防止手段９０の角度位置を容易に調整することもできる。
【００５６】
また、ロッド９２は、角度アジャスタ９５の装着孔９５ａに装着されている。この構成によれば、角度アジャスタ９５に取り付けられたロッド９２を上下方向に移動させたり、ロッド９２を上下反転させて装着孔９５ａに取り付けたりすることで、構造物Ｋ１，Ｋ２に対しドラムスタンド１０を設置できる高さ方向の範囲を広げることができる。よって、様々な形状や大きさを有する構造物Ｋ１，Ｋ２に対しても、ドラムスタンド１０を設置することができる。
【００５７】
（８）ロッド９２は、当接部９２ｂを下段パイプ２１の軸線と直交する方向に向けて、角度アジャスタ９５の装着孔９５ａに装着されている。この構成によれば、第１脚部１４ａ，１４ｂが載置される構造物Ｋ１や第２脚部１４ｃの上方に配置される構造物Ｋ２に対しロッド９２を押し当てた状態で、構造物Ｋ１，Ｋ２に対しロッド９２をその軸線方向に沿って滑らせることができる。よって、ドラムスタンド１０を転倒しないように保持しながら、構造物Ｋ１，Ｋ２に対するドラムスタンド１０の位置決めを行うことができる。  （９）図５及び図６に示すように、スネアドラムＳは、ドラムスタンド１０に連結された状態で、スネアドラムＳの軸線を中央パイプ１２の軸線と一致させるようにして保持される。また、この状態で、スネアドラムＳは、ストッパ８３の下部前面にスネアドラムＳの下側フープＳＦを当接させることにより打面ＳＤを水平にして保持される。この場合、ドラムスタンド１０の起立時の姿勢が安定するため、スネアドラムＳをより安定的に支持することができる。
【００５８】
（１０）両フック８５ａ，８５ｂのそれぞれには、固定手段としてのロックレバー８８ａ，８８ｂが回動可能に支持されている。この構成によれば、ロックレバー８８ａ，８８ｂをロック位置に切り換えることによって、ドラムスタンド１０からスネアドラムＳが外れて落下しないようロックすることができる。
【００５９】
なお、本実施形態は以下のように変更してもよい。
・本実施形態において、本発明に係るドラムスタンド１０の三脚構造を、テナードラムを設置するために用いるテナードラム用スタンドに適用してもよい。図７（ａ）に示すように、テナードラム用スタンド１０１は、中央パイプ１０２と、中央パイプ１０２の軸線を中心に開閉可能な一対の可動ロッド１０３と、中央パイプ１０２の上端に固定された固定ロッド１０４と、テナードラムが連結される連結装置１０５とを備えている。
【００６０】
また、本発明に係るドラムスタンド１０の三脚構造を、バスドラムを設置するために用いるバスドラム用スタンドに適用してもよい。図７（ｂ）に示すように、バスドラム用スタンド１０６は、中央パイプ１０７と、中央パイプ１０７の上端に固定された平板１０８と、平板１０８上に固定された４本のフレーム１０９と、バスドラムが連結される連結装置１１０とを備えている。
【００６１】
・本実施形態において、ドラムスタンド１１１は、図８に示すように、一本の第１脚部１１２ａと二本の第２脚部１１２ｂ，１１２ｃとからなる三脚構造を備えたドラムスタンドであってもよい。この場合、一本の第１脚部１１２ａが第１可動カラー１１３に対し回動可能に連結され、第１脚部１１２ａに連結された一本の第１ステー１１４ａが第２可動カラー１１５に対し回動可能に連結されている。また、二本の第２脚部１１２ｂ，１１２ｃが第２可動カラー１１５に対し回動可能に連結され、第２脚部１１２ｂ，１１２ｃにそれぞれ連結された二本の第２ステー１１４ｂ，１１４ｃが固定カラー１１６に対し回動可能に連結されている。
【００６２】
・本実施形態において、ドラムスタンド１０は、図９（ａ），（ｂ）に示すように、二本の第１脚部１２０ａ，１２０ｂ及び二本の第２脚部１２０ｃ，１２０ｄからなる四脚構造を備えたドラムスタンドであってもよい。この場合、例えば、図９（ａ）に示すように、隣接して配置された二本の第１脚部１２０ａ，１２０ｂが第１可動カラー１２１に対し回動可能に連結され、第１脚部１２０ａ，１２０ｂにそれぞれ連結された二本の第１ステー１２２ａ，１２２ｂが第２可動カラー１２３に対し回動可能に連結されている。また、隣接して配置された二本の第２脚部１２０ｃ，１２０ｄが第２可動カラー１２３に対し回動可能に連結され、第２脚部１２０ｃ，１２０ｄにそれぞれ連結された二本の第２ステー１２２ｃ，１２２ｄが固定カラー１２４に対し回動可能に連結されている。
【００６３】
また、図９（ｂ）に示すように、互いに対向して配置された二本の第１脚部１２５ａ，１２５ｂが第１可動カラー１２６に対し回動可能に連結され、第１脚部１２５ａ，１２５ｂにそれぞれ連結された二本の第１ステー１２７ａ，１２７ｂが第２可動カラー１２８に対し回動可能に連結されている。また、互いに対向して配置された二本の第２脚部１２５ｃ，１２５ｄが第２可動カラー１２８に対し回動可能に連結され、第２脚部１２５ｃ，１２５ｄにそれぞれ連結された二本の第２ステー１２７ｃ，１２７ｄが固定カラー１２９に対し回動可能に連結されている。
【００６４】
・本実施形態において、第１脚部１４ａ，１４ｂ及び第２脚部１４ｃ及び第１ステー１５ａ，１５ｂ及び第２ステー１５ｃの本数をそれぞれ増やすことにより、ドラムスタンド１０の脚構造を、三脚構造や四脚構造以外の任意の脚構造に変更してもよい。
【００６５】
・本実施形態において、本発明は、マーチングドラム以外の打楽器、例えば、木琴や鉄琴等を設置するために用いられる楽器用スタンドとして具体化してもよい。
・本実施形態において、第１ステー１５ａ，１５ｂを、第１脚部１４ａ，１４ｂに対しスライド可能にそれぞれ連結してもよい。同様に、第２ステー１５ｃを、第２脚部１４ｃに対しスライド可能に連結してもよい。
【００６６】
次に、特許請求の範囲に記載された技術的思想のほかに、前述した実施形態によって把握される技術的思想を以下に列挙する。
（１）楽器を設置するために用いられる楽器用スタンドであって、上下方向に延びる中央パイプと、前記中央パイプに対し開閉可能に組み付けられた少なくとも三つの脚部と、前記各脚部に連結された少なくとも三つのステーと、前記中央パイプに装着され、前記楽器用スタンドの転倒を防止するための転倒防止手段とを備え、前記楽器用スタンドは、その設置場所付近にある構造物に前記転倒防止手段を干渉させることで転倒しないように保持されることを特徴とする楽器用スタンド。
【符号の説明】
【００６７】
Ｓ…スネアドラム（楽器）、Ｋ１，Ｋ２…構造物、１０…ドラムスタンド（楽器用スタンド）、１２…中央パイプ、１４ａ，１４ｂ…第１脚部、１４ｃ…第２脚部、１５ａ，１５ｂ…第１ステー、１５ｃ…第２ステー、５０…固定カラー（下部カラー）、６０…第１可動カラー、７０…第２可動カラー、８８ａ，８８ｂ…ロックレバー（固定手段）、９０…転倒防止手段、９２…ロッド、９１…クランプ。
【図１】
0005485235.tif 000002
【図２】
0005485235.tif 000003
【図３】
0005485235.tif 000004
【図４】
0005485235.tif 000005
【図５】
0005485235.tif 000006
【図６】
0005485235.tif 000007
【図７】
0005485235.tif 000008
【図８】
0005485235.tif 000009
【図９】
0005485235.tif 000010
【図１０】
0005485235.tif 000011
【図１１】
0005485235.tif 000012
【図１２】
0005485235.tif 000013